(57)【要約】【課題】  帯域拡張技術を利用したデジタルデータの符号化方法、その装置、復号化方法およびその装置を提供する。【解決手段】  デジタルデータを帯域拡張符号化して帯域制限データを出力して帯域拡張情報を生成する段階と、前記帯域制限データを、ビット率を調節可能に基底階層と少なくとも１つの上位階層とを有する階層構造に符号化する段階と、符号化された帯域制限データと前記帯域拡張情報とを多重化する段階とを含むことを特徴とするデジタルデータを符号化する方法である。これにより、ネットワーク状況などによってビット率を調節可能であり、復号化装置でビットストリームの一部だけをもって復元しても良好な品質を実現できる。【選択図】      図１
2004272260.tif 000002
【特許請求の範囲】
【請求項１】
デジタルデータを符号化する方法において、
（ａ）デジタルデータを帯域拡張符号化し、帯域制限データを出力して帯域拡張情報を生成する段階と、
（ｂ）前記帯域制限データを、ビット率を調節可能に基底階層と少なくとも１つの上位階層とを有する階層構造に符号化する段階と、
（ｃ）符号化された前記帯域制限データと前記帯域拡張情報とを多重化する段階とを含むことを特徴とする符号化方法。
【請求項２】
前記（ｂ）段階は、
（ｂ１１）前記基底階層に相当する付加情報を符号化する段階と、
（ｂ１２）前記基底階層に相当する複数個の量子化サンプルをビット分割符号化する段階と、
（ｂ１３）あらかじめ決定された複数個の階層に対する符号化が完了するまで、次の上位階層に対して前記（ｂ１１）段階および（ｂ１２）段階を反復して行う段階とを含むことを特徴とする請求項１に記載の符号化方法。
【請求項３】
前記（ｂ）段階は、
（ｂ２１）前記基底階層に相当するスケールファクタ情報およびコーディングモデル情報を含む付加情報を符号化する段階と、
（ｂ２２）前記基底階層に相当する複数個の量子化サンプルを、前記コーディングモデル情報を参照してビット分割符号化する段階と、
（ｂ２３）あらかじめ決定された複数個の階層に対する符号化が完了するまで、次の上位階層に対して前記（ｂ２１）段階および（ｂ２２）段階を反復して行う段階とを含むことを特徴とする請求項１に記載の符号化方法。
【請求項４】
前記（ｃ）段階は、
前記符号化された帯域制限データのうち、はじめに、前記基底階層に相当するデータが配置され、次に、前記帯域拡張情報が配置され、そして、残りの上位階層にするデータが配置される順序で多重化することを特徴とする請求項１に記載の符号化方法。
【請求項５】
前記（ｃ）段階は、
はじめに、前記帯域拡張情報が配置され、次に、前記符号化された帯域制限データのうち前記基底階層に相当するデータが配置され、そして、残りの上位階層に相当するデータが配置される順序で多重化することを特徴とする請求項１に記載の符号化方法。
【請求項６】
オーディオデータを符号化する方法において、
（ａ）オーディオデータを帯域拡張符号化し、帯域制限オーディオデータを出力して帯域拡張情報を生成する段階と、
（ｂ）前記帯域制限データを、ビット率を調節可能に基底階層と少なくとも１つの上位階層とを有する階層構造に符号化する段階と、
（ｃ）符号化された前記帯域制限オーディオデータと前記帯域拡張情報とを多重化する段階とを含むことを特徴とする符号化方法。
【請求項７】
前記（ｂ）段階は、
（ｂ１１）前記基底階層に相当する付加情報を符号化する段階と、
（ｂ１２）前記基底階層に相当する複数個の量子化サンプルをビット分割符号化する段階と、
（ｂ１３）あらかじめ決定された複数個の階層に対する符号化が完了するまで、次の上位階層に対して前記（ｂ１１）段階および（ｂ１２）段階を反復して行う段階とを含むことを特徴とする請求項６に記載の符号化方法。
【請求項８】
前記（ｂ）段階は、
（ｂ２１）前記基底階層に相当するスケールファクタ情報およびコーディングモデル情報を含む付加情報を符号化する段階と、
（ｂ２２）前記基底階層に相当する複数個の量子化サンプルを、前記コーディングモデル情報を参照してビット分割符号化する段階と、
（ｂ２３）あらかじめ決定された複数個の階層に対する符号化が完了するまで、次の上位階層に対して前記（ｂ２１）段階および（ｂ２２）段階を反復して行う段階とを含むことを特徴とする請求項６に記載の符号化方法。
【請求項９】
前記（ｃ）段階は、
前記符号化された帯域制限オーディオデータのうち、はじめに、前記基底階層に相当するデータが配置され、次に、前記帯域拡張情報が配置され、そして、残りの上位階層に相当するデータが配置される順序で多重化することを特徴とする請求項６に記載の符号化方法。
【請求項１０】
前記（ｃ）段階は、
はじめに、前記帯域拡張情報が配置され、次に、前記符号化された帯域制限オーディオデータのうち前記基底階層に相当するデータが配置され、そして、残りの上位階層に相当するデータが配置される順序で多重化することを特徴とする請求項６に記載の符号化方法。
【請求項１１】
デジタルデータを復号化する方法において、
（ａ）入力されたビットストリームを逆多重化して、基底階層と少なくとも１つの上位階層とを有する階層構造に符号化された帯域制限データと帯域拡張情報とを抽出する段階と、
（ｂ）少なくとも基底階層に相当する前記帯域制限データを復号化する段階と、
（ｃ）復号化されたデータのもとで前記帯域拡張情報を参照し、前記復号化されたデータがカバーしない少なくとも一部帯域のデジタルデータを生成し、前記復号化されたデータに付加する段階とを含むことを特徴とする復号化方法。
【請求項１２】
前記（ａ）段階は、
前記ビットストリームから、はじめに、前記基底階層に相当するデータを抽出し、次に、前記帯域拡張情報を抽出し、そして、残りの上位階層に相当するデータを抽出する順序で逆多重化することを特徴とする請求項１１に記載の復号化方法。
【請求項１３】
前記（ａ）段階は、
前記ビットストリームから、はじめに、前記帯域拡張情報を抽出し、次に、前記基底階層に相当するデータを抽出し、そして、残りの上位階層に相当するデータを抽出する順序で逆多重化する段階であることを特徴とする請求項１１に記載の復号化方法。
【請求項１４】
前記（ｂ）段階は、
（ｂ１１）前記基底階層に相当する付加情報を復号化する段階と、
（ｂ１２）前記基底階層に相当する複数個の量子化サンプルをビット分割復号化する段階と、
（ｂ１３）あらかじめ決定された複数個の階層に対する復号化が完了するまで、次の上位階層に対して前記（ｂ１１）段階および（ｂ１２）段階を反復して行う段階とを含むことを特徴とする請求項１１に記載の復号化方法。
【請求項１５】
前記（ｂ）段階は、
（ｂ２１）前記基底階層に相当するスケールファクタ情報およびコーディングモデル情報を含む付加情報を復号化する段階と、
（ｂ２２）前記基底階層に相当する複数個の量子化サンプルを前記コーディングモデル情報を参照してビット分割復号化する段階と、
（ｂ２３）あらかじめ決定された複数個の階層に対する復号化が完了するまで、次の上位階層に対して前記（ｂ２１）段階および（ｂ２２）段階を反復して行う段階とを含むことを特徴とする請求項１１に記載の復号化方法。
【請求項１６】
オーディオデータを復号化する方法において、
（ａ）入力されたオーディオビットストリームを逆多重化して、基底階層と少なくとも１つの上位階層とを有する階層構造に符号化された帯域制限オーディオデータと帯域拡張情報とを抽出する段階と、
（ｂ）少なくとも基底階層に相当する前記帯域制限オーディオデータを復号化する段階と、
（ｃ）復号化されたオーディオデータのもとで前記帯域拡張情報を参照し、前記復号化されたオーディオデータがカバーしない少なくとも一部帯域のオーディオデータを生成し、前記復号化されたオーディオデータに付加する段階とを含むことを特徴とする復号化方法。
【請求項１７】
前記（ａ）段階は、
前記ビットストリームから、はじめに、前記基底階層に相当するデータを抽出し、次に、前記帯域拡張情報を抽出し、そして、残りの上位階層に相当するデータを抽出する順序で逆多重化することを特徴とする請求項１６に記載の復号化方法。
【請求項１８】
前記（ａ）段階は、
前記ビットストリームから、はじめに、前記帯域拡張情報を抽出し、次に、前記基底階層に相当するデータを抽出し、そして、残りの上位階層に相当するデータを抽出する順序で逆多重化することを特徴とする請求項１６に記載の復号化方法。
【請求項１９】
前記（ｂ）段階は、
（ｂ１１）前記基底階層に相当する付加情報を復号化する段階と、
（ｂ１２）前記基底階層に相当する複数個の量子化サンプルをビット分割復号化する段階と、
（ｂ１３）あらかじめ決定された複数個の階層に対する復号化が完了するまで、次の上位階層に対して前記（ｂ１１）段階および（ｂ１２）段階を反復して行う段階とを含むことを特徴とする請求項１６に記載の復号化方法。
【請求項２０】
前記（ｂ）段階は、
（ｂ２１）前記基底階層に相当するスケールファクタ情報およびコーディングモデル情報を含む付加情報を復号化する段階と、
（ｂ２２）前記基底階層に相当する複数個の量子化サンプルを前記コーディングモデル情報を参照してビット分割復号化する段階と、
（ｂ２３）あらかじめ決定された複数個の階層に対する復号化が完了するまで、次の上位階層に対して前記（ｂ２１）段階および（ｂ２２）段階を反復して行う段階とを含むことを特徴とする請求項１６に記載の復号化方法。
【請求項２１】
デジタルデータを符号化する装置において、
デジタルデータを帯域拡張符号化し、帯域制限データを出力して帯域拡張情報を生成する帯域拡張符号化器と、
前記帯域制限データを、ビット率を調節可能に基底階層と少なくとも１つの上位階層とを有する階層構造に符号化する細粒度拡張符号化器と、
符号化された帯域制限データと前記帯域拡張情報とを多重化する多重化器とを含むことを特徴とする符号化装置。
【請求項２２】
前記細粒度拡張符号化器は、
前記基底階層に相当する付加情報を符号化し、前記基底階層に相当する複数個の量子化サンプルをビット分割符号化して、あらかじめ決定された複数個の階層に対する符号化が完了するまで、次の上位階層に相当する付加情報および複数個の量子化サンプルをビット分割符号化することを特徴とする請求項２１に記載の符号化装置。
【請求項２３】
前記細粒度拡張符号化器は、
前記基底階層に相当するスケールファクタ情報およびコーディングモデル情報を含む付加情報を符号化し、前記基底階層に相当する複数個の量子化サンプルを、前記コーディングモデル情報を参照してビット分割符号化し、あらかじめ決定された複数個の階層に対する符号化が完了するまで、次の上位階層に相当するスケールファクタ情報およびコーディングモデル情報を含む付加情報を符号化して、次の上位階層に相当する複数個の量子化サンプルをビット分割符号化することを特徴とする請求項２１に記載の符号化装置。
【請求項２４】
前記多重化器は、
前記符号化された帯域制限データのうち、はじめに、前記基底階層に相当するデータが配置され、次に、前記帯域拡張情報が配置され、次に、残りの上位階層に相当するデータが配置される順序で多重化することを特徴とする請求項２１に記載の符号化装置。
【請求項２５】
前記多重化器は、
はじめに、前記帯域拡張情報が配置され、次に、前記符号化された帯域制限データのうち、前記基底階層に相当するデータが配置され、そして、残りの上位階層に相当するデータが配置される順序で多重化することを特徴とする請求項２１に記載の符号化装置。
【請求項２６】
オーディオデータを符号化する装置において、
オーディオデータを帯域拡張符号化し、帯域制限オーディオデータを出力して帯域拡張情報を生成する帯域拡張符号化器と、
前記帯域制限データを、ビット率を調節可能に基底階層と少なくとも１つの上位階層とを有する階層構造に符号化する細粒度拡張符号化器と、
符号化された帯域制限オーディオデータと前記帯域拡張情報とを多重化する多重化器とを含むことを特徴とする符号化装置。
【請求項２７】
前記細粒度拡張符号化器は、
前記基底階層に相当する付加情報を符号化して前記基底階層に相当する複数個の量子化サンプルをビット分割符号化し、あらかじめ決定された複数個の階層に対する符号化が完了するまで次の上位階層に相当する付加情報および複数個の量子化サンプルをビット分割符号化することを特徴とする請求項２６に記載の符号化装置。
【請求項２８】
前記細粒度拡張符号化器は、
前記基底階層に相当するスケールファクタ情報およびコーディングモデル情報を含む付加情報を符号化し、前記基底階層に相当する複数個の量子化サンプルを、前記コーディングモデル情報を参照してビット分割符号化し、あらかじめ決定された複数個の階層に対する符号化が完了するまで、次の上位階層に相当するスケールファクタ情報およびコーディングモデル情報を含む付加情報を符号化して、次の上位階層に相当する複数個の量子化サンプルをビット分割符号化することを特徴とする請求項２６に記載の符号化装置。
【請求項２９】
前記多重化器は、
前記符号化された帯域制限オーディオデータのうち、はじめに、前記基底階層に相当するデータが配置され、次に、前記帯域拡張情報が配置され、そして、残りの上位階層に相当するデータが配置される順序で多重化することを特徴とする請求項２６に記載の符号化装置。
【請求項３０】
デジタルデータを復号化する装置において、
入力されたビットストリームを逆多重化して、基底階層と少なくとも１つの上位階層とを有する階層構造に符号化された帯域制限データと帯域拡張情報とを抽出する逆多重化器と、
前記逆多重化器により抽出された少なくとも基底階層に相当する前記帯域制限データを復号化する細粒度拡張復号化器と、
前記細粒度拡張復号化器により復号化されたデータのもとで前記帯域拡張情報を参照し、前記復号化されたデータがカバーしない少なくとも一部帯域のデジタルデータを生成し、前記復号化されたデータに付加する帯域拡張復号化器とを含むことを特徴とする復号化装置。
【請求項３１】
前記細粒度拡張復号化器は、
前記基底階層に相当する付加情報を復号化し、前記基底階層に相当する複数個の量子化サンプルをビット分割復号化して、あらかじめ決定された複数個の階層に対する復号化が完了するまで、次の上位階層に相当する付加情報を復号化し、対応する複数個の量子化サンプルをビット分割復号化することを特徴とする請求項３０に記載の復号化装置。
【請求項３２】
前記細粒度拡張復号化器は、
前記基底階層に相当するスケールファクタ情報およびコーディングモデル情報を含む付加情報を復号化し、前記基底階層に相当する複数個の量子化サンプルを、前記コーディングモデル情報を参照してビット分割復号化して、あらかじめ決定された複数個の階層に対する復号化が完了するまで次の上位階層に相当する付加情報を復号化し、対応する複数個の量子化サンプルを、前記コーディングモデル情報を参照してビット分割復号化することを特徴とする請求項３０に記載の復号化装置。
【請求項３３】
前記逆多重化器は、
はじめに、前記ビットストリームから前記基底階層に相当するデータを抽出し、次に、前記帯域拡張情報を抽出し、そして、残りの上位階層に相当するデータを抽出する順序で逆多重化することを特徴とする請求項３０に記載の復号化装置。
【請求項３４】
オーディオデータを復号化する装置において、
入力されたオーディオビットストリームを逆多重化して、基底階層と少なくとも１つの上位階層とを有する階層構造に符号化された帯域制限オーディオデータと帯域拡張情報とを抽出する逆多重化器と、
少なくとも基底階層に相当する前記帯域制限オーディオデータを復号化する細粒度拡張復号化器と、
復号化されたオーディオデータのもとで前記帯域拡張情報を参照し、前記復号化されたオーディオデータがカバーしない少なくとも一部帯域のオーディオデータを生成し、前記復号化されたオーディオデータに付加する帯域拡張復号化器とを含むことを特徴とする復号化装置。
【請求項３５】
前記細粒度拡張復号化器は、
前記基底階層に相当する付加情報を復号化し、前記基底階層に相当する複数個の量子化サンプルをビット分割復号化して、あらかじめ決定された複数個の階層に対する復号化が完了するまで次の上位階層に対応する付加情報を復号化し、対応する複数個の量子化サンプルをビット分割復号化することを特徴とする請求項３４に記載の復号化装置。
【請求項３６】
前記逆多重化器は、
はじめに、前記ビットストリームから前記基底階層に相当するデータを抽出し、次に、前記帯域拡張情報を抽出し、そして、残りの上位階層に相当するデータを抽出する順序で逆多重化することを特徴とする請求項３４に記載の復号化装置。
【請求項３７】
前記逆多重化器は、
はじめに、前記ビットストリームから前記帯域拡張情報を抽出し、次に、前記基底階層に相当するデータを抽出し、そして、残りの上位階層に相当するデータを抽出する順序で逆多重化することを特徴とする請求項３４に記載の復号化装置。
【発明の詳細な説明】
【技術分野】
【０００１】
本発明はデジタルデータの符号化および復号化に係り、さらに詳細には帯域拡張技術を利用したデジタルデータの符号化方法、その装置、復号化方法およびその装置に関する。
【背景技術】
【０００２】
デジタル信号処理技術の発達により、オーディオ信号は、デジタルデータで保存、再生される場合が多くなった。一般に、デジタルオーディオ記録／再生装置は、アナログオーディオ信号をサンプリングして量子化し、デジタル信号であるＰＣＭ（Ｐｕｌｓｅ  Ｃｏｄｅ  Ｍｏｄｕｌａｔｉｏｎ）オーディオデータに変換し、ＣＤ、ＤＶＤのような情報記録媒体に記録して、ユーザが必要とするときに、これを再生することができる。デジタル方式によるオーディオ信号の記録／復元方式は、ＬＰ（Ｌｏｎｇ−Ｐｌａｙ）レコード、磁気テープのようなアナログ記録／復元方式に比べ、音質を大きく向上させて保存期間による劣化現象を顕著に減少させることができる。しかしながら、デジタルデータのサイズが大きく、記録および伝送が円滑にできないという問題点があった。
【０００３】
現在、このような問題点を解決するために、デジタルオーディオ信号のサイズを小さくする多様な圧縮方式が使われている。ＩＳＯ（Ｉｎｔｅｒｎａｔｉｏｎａｌ  Ｓｔａｎｄａｒｄ  Ｏｒｇａｎｉｚａｔｉｏｎ）により標準化作業がなされたＭＰＥＧ（Ｍｏｖｉｎｇ  Ｐｉｃｔｕｒｅｓ  Ｅｘｐｅｒｔ  Ｇｒｏｕｐ）／ａｕｄｉｏや米国ドルビーラボラトリーズ社により開発されたＡＣ−２／ＡＣ−３は、人間の心理音響モデルを利用してデータ量を減らす方法を採用し、その結果、信号の特性に関係なく効率的にデータ量を減少可能とした。すなわち、ＭＰＥＧ／ａｕｄｉｏ標準やＡＣ−２／ＡＣ−３方式は、従来のデジタル符号化方式に比べて１／６ないし１／８に減少させた６４Ｋｂｐｓないし３８４Ｋｂｐｓのビット率を用いてＣＤ（Ｃｏｍｐａｃｔ  Ｄｉｓｃ）の音質と同程度の音質を提供することができる。
【０００４】
しかしながら、それらの方法はいずれも固定されたビット率に対して最適の状態を探し、量子化過程と符号化過程とを経る方式であるため、ネットワークを介してこれらのデジタルデータを伝送する場合に、ネットワーク状況が悪く、伝送帯域幅が低くなると、切断が発生してユーザにそれ以上のサービスを提供できなくなるという問題点がある。また、制限された記録容量である移動式機器に適するように、さらに小さなサイズのビットストリームに変換しようとすると、再符号化過程を経なければならないため、多くの計算量を必要とするという問題点もある。
【０００５】
このような問題点に鑑み、本出願人は、ビット分割算術符号化（ＢＳＡＣ：Ｂｉｔ−Ｓｌｉｃｅｄ  Ａｒｉｔｈｍｅｔｉｃ  Ｃｏｄｉｎｇ）技術を使用してビット率調節が可能なオーディオ符号化／復号化方法および装置に係る特許出願（特許文献１）を１９９７年１１月１９日に大韓民国特許庁に行い、２０００年４月１７日付けで特許登録された。
【０００６】
この特許文献１によれば、高いビット率で符号化されたビットストリームを低いビット率のビットストリームに変換でき、一部のビットストリームからでも復元が可能なため、ネットワークに過負荷がかかったり、復号化器の性能がよくなかったり、またはユーザが低いビット率を要求したとしても、ビットストリームの一部からでも、ユーザにある程度の音質でサービスを提供可能である。しかしながら、ビット率が低くなると、品質の低下は避けられないという問題点がある。
【特許文献１】大韓民国特許第２６１２５３号公報
【発明の開示】
【発明が解決しようとする課題】
【０００７】
従って本発明の解決しようとする技術的課題は、ビットストリームの一部だけを復元した場合であっても、良好な品質を実現できるビット率調節可能な符号化方法、その装置、復号化方法およびその装置を提供することである。
【課題を解決するための手段】
【０００８】
前記した課題を達成するためになされた本発明は、デジタルデータを符号化する方法において、（ａ）デジタルデータを帯域拡張符号化し、帯域制限データを出力して帯域拡張情報を生成する段階と、（ｂ）前記帯域制限データを、ビット率を調節可能に基底階層と少なくとも１つの上位階層とを有する階層構造に符号化する段階と、（ｃ）符号化された帯域制限データと前記帯域拡張情報とを多重化する段階とを含むことを特徴とする符号化方法である。
【０００９】
また、オーディオデータを符号化する方法において、（ａ）オーディオデータを帯域拡張符号化し、帯域制限オーディオデータを出力して帯域拡張情報を生成する段階と、（ｂ）前記帯域制限データを、ビット率を調節可能に基底階層と少なくとも１つの上位階層とを有する階層構造に符号化する段階と、（ｃ）符号化された帯域制限オーディオデータと前記帯域拡張情報とを多重化する段階とを含むことを特徴とする符号化方法によっても達成される。
【００１０】
また、前記した別の課題を達成するためになされた本発明は、デジタルデータを復号化する方法において、（ａ）入力されたビットストリームを逆多重化して、基底階層と少なくとも１つの上位階層とを有する階層構造に符号化された帯域制限データと帯域拡張情報とを抽出する段階と、（ｂ）少なくとも基底階層に相当する前記帯域制限データを復号化する段階と、（ｃ）復号化されたデータのもとで前記帯域拡張情報を参照し、前記復号化されたデータがカバーしない少なくとも一部帯域のデジタルデータを生成し、前記復号化されたデータに付加する段階とを含むことを特徴とする復号化方法である。
【００１１】
また、オーディオデータを復号化する方法において、（ａ）入力されたオーディオビットストリームを逆多重化して、基底階層と少なくとも１つの上位階層とを有する階層構造に符号化された帯域制限オーディオデータと帯域拡張情報とを抽出する段階と、（ｂ）少なくとも基底階層に相当する前記帯域制限オーディオデータを復号化する段階と、（ｃ）復号化されたオーディオデータのもとで前記帯域拡張情報を参照し、前記復号化されたオーディオデータがカバーしない少なくとも一部帯域のオーディオデータを生成し、前記復号化されたオーディオデータに付加する段階とを含むことを特徴とする復号化方法によっても達成される。
【００１２】
また、前記した別の課題を達成するためになされた本発明は、デジタルデータを符号化する装置において、デジタルデータを帯域拡張符号化して帯域制限データを出力して帯域拡張情報を生成する帯域拡張（ＢＷＥ：Ｂａｎｄ  Ｗｉｄｔｈ  Ｅｘｔｅｎｓｉｏｎ）符号化器と、前記帯域制限データを、ビット率を調節可能に基底階層と少なくとも１つの上位階層とを有する階層構造に符号化する細粒度拡張（ＦＧＳ：Ｆｉｎｅ  Ｇｒａｉｎ  Ｓｃａｌａｂｉｌｉｔｙ）符号化器と、符号化された帯域制限データと前記帯域拡張情報とを多重化する多重化器を含むことを特徴とする符号化装置によっても達成される。
【００１３】
また、オーディオデータを符号化する装置において、オーディオデータを帯域拡張符号化し、帯域制限オーディオデータを出力して帯域拡張情報を生成するＢＷＥ符号化器と、前記帯域制限データを、ビット率を調節可能に基底階層と少なくとも１つの上位階層とを有する階層構造に符号化するＦＧＳ符号化器と、符号化された帯域制限オーディオデータと前記帯域拡張情報とを多重化する多重化器とを含むことを特徴とする符号化装置によっても達成される。
【００１４】
前記した別の課題を達成するためになされた本発明は、デジタルデータを復号化する装置において、入力されたビットストリームを逆多重化して基底階層と少なくとも１つの上位階層とを有する階層構造に符号化された帯域制限データと帯域拡張情報とを抽出する逆多重化器と、前記逆多重化器により抽出された少なくとも基底階層に相当する前記帯域制限データを復号化するＦＧＳ復号化器と、前記ＦＧＳ復号化器により復号化されたデータのもとで前記帯域拡張情報を参照し、前記復号化されたデータがカバーしない少なくとも一部帯域のデジタルデータを生成し、前記復号化されたデータに付加するＢＷＥ復号化器とを含むことを特徴とする復号化装置によっても達成される。
【発明の効果】
【００１５】
本発明によれば、ビットストリームの一部だけから復元した場合であっても、良好な品質を実現できるビット率調節可能な符号化方法、その装置、復号化方法およびその装置が提供される。
【発明を実施するための最良の形態】
【００１６】
以下添付した図面を参照して、本発明の望ましい実施の形態を詳細に説明する。
【００１７】
図１は、本発明による符号化装置のブロック図の例である。図１に示した符号化装置は、入力されたデジタルデータを符号化して、ビットストリームを出力する装置であり、ＢＷＥ符号化器１、ＦＧＳ符号化器２および多重化器３を含む。
【００１８】
ＢＷＥ符号化器１は、デジタルデータを帯域拡張符号化して帯域制限データを出力して帯域拡張情報を生成する。帯域拡張符号化とは、入力されたデジタルデータの所定周波数以上の高周波数帯域のデータを切り取り、この切り取った高周波数帯域のデータを復元するために必要な付加情報を生成する技術である。ここで、入力されたデジタルデータのうち高周波数帯域のデータを切り取って残ったデータを帯域制限データといい、切り取ったデータを復元するために必要な付加情報を帯域拡張情報という。帯域拡張技術の代表的な例としては、Ｃｏｄｉｎｇ−Ｔｅｃｈｎｏｌｏｇｙ社のＳＢＲ（Ｓｐｅｃｔｒａｌ  Ｂａｎｄ  Ｒｅｐｌｉｃａｔｉｏｎ）技術を挙げられる。なお、ＳＢＲに関わる詳細な説明は、２００２年５月１０〜１３日にオーディオ技術学会第１１２回大会で発表された“Ｃｏｎｖｅｎｔｉｏｎ  Ｐａｐｅｒ  ５５６０”に開示されている。
【００１９】
ＦＧＳ符号化器２は、帯域制限データを、ビット率を調節可能に基底階層と少なくとも１つの上位階層とを有する階層構造に符号化する。ＦＧＳ符号化とは、ビット率を調節可能に、すなわち、ＦＧＳを提供できるように複数個の階層構造に符号化することを意味する。ＦＧＳ符号化の一例としては、本出願人により１９９７年１１月１９日付けで大韓民国特許出願第９７−６１２９８号として出願し、２０００年４月１７日付けで登録特許第２６１２５３号「ビット率調節が可能なオーディオ符号化／復号化方法および装置」に開示されたビット分割符号化技術、すなわち、ＢＳＡＣ（Ｂｉｔ−Ｓｌｉｃｅｄ  Ａｒｉｔｈｍｅｔｉｃ  Ｃｏｄｉｎｇ）符号化技術が挙げられる。ただし、本発明において、ビット分割符号化技術とは、必ずしも算術符号化に限定されず、その他の異なる無損失符号化（例えば、残りの部分はいずれも同一であって算術符号化の代わりにハフマン符号化を採用したビット分割符号化）を含む意味で使われる。
【００２０】
多重化器３は、ＦＧＳ符号化器２によりＦＧＳ符号化された帯域制限データとＢＷＥ符号化器１から生成された帯域拡張情報とを多重化する。
【００２１】
図２は、本発明の一実施例による符号化装置のブロック図である。図２に示した符号化装置は、入力されたＰＣＭオーディオデータを符号化して、オーディオビットストリームを出力する装置であり、ＢＷＥ符号化器１、ＦＧＳ符号化器２および多重化器３を含む。図２に示した符号化装置は、図１に示した符号化装置と比べて、ＰＣＭオーディオデータを処理することを特定したことに違いがあるが、実質的に同じ機能を行うブロックには同じ参照番号を付して重複する説明は省略する。
【００２２】
ＢＷＥ符号化器１は、オーディオデータを帯域拡張符号化して帯域制限オーディオデータを出力して帯域拡張情報を生成し、ＦＧＳ符号化器２は、帯域制限オーディオデータを、ビット率を調節可能に基底階層と少なくとも１つの上位階層とを有する階層構造に符号化する。すなわち、ＦＧＳ符号化器２は、基底階層に相当する付加情報を差分符号化し、基底階層に相当する複数個の量子化サンプルをビット分割符号化し、あらかじめ決められた複数個の階層に対する符号化が完了するまで、次の上位階層に対する付加情報を差分符号化し、対応する複数個の量子化サンプルをビット分割符号化する。付加情報は、スケールファクタ情報およびコーディングモデル情報を含む。量子化サンプルは、入力されたデジタルデータを変換し、量子化して得られる。さらに詳細な説明は後記する。
多重化器３は、ＦＧＳ符号化器２により符号化された帯域制限オーディオデータとＢＷＥ符号化器１により生成された帯域拡張情報とを多重化する。
【００２３】
図３は、図２に示した符号化装置を具体化した例である。図３に示した符号化装置は、ＢＷＥ符号化器１、ＦＧＳ符号化器２および多重化器３を含む。ここで、図２に示した符号化装置と実質的に同じ機能を行うブロックには同じ参照番号を付与して重複する説明は省略する。
【００２４】
図３に示した符号化装置において、ＦＧＳ符号化器２は、変換部２１、心理音響部２２、量子化部２３およびＦＧＳ符号化部２４から構成される。変換部２１は、時間領域のオーディオ信号のＰＣＭオーディオデータを入力されて心理音響部２２から提供される音響心理モデルに関する情報を参照して周波数領域の信号に変換する。時間領域では、人間が認知するオーディオ信号の特性の差がさほど大きくないが、変換を介して得られた周波数領域のオーディオ信号は、人間の音響心理モデルによって各周波数帯域で人間が感じられる信号と感じられない信号の特性差が大きいために、各周波数帯域別に割り当てるビット数を可変することによって圧縮の効率を上げることができる。
【００２５】
心理音響部２２は、アタック感知情報など音響心理モデルに関する情報を変換部２１に提供し、変換部２１により変換されたオーディオ信号を適切なサブバンドの信号にまとめて各信号の相互作用により発生するマスキング現象を利用して各サブバンドでのマスキング閾値を計算して量子化部２３に提供する。
マスキング閾値とは、オーディオ信号の相互作用により人間が聞いても感じられない信号の最大値をいう。図３に示した符号化装置において、心理音響部２２はＢＭＬＤ（Ｂｉｎａｕｒａｌ  Ｍａｓｋｉｎｇ  Ｌｅｖｅｌ  Ｄｅｐｒｅｓｓｉｏｎ）を利用してステレオ成分に関わるマスキング閾値などを計算する。
【００２６】
量子化部２３は、人間が聞いても感じられないように、各帯域の量子化雑音のサイズが心理音響部２２から提供されたマスキング閾値より小さくなるように各帯域のオーディオ信号を対応するスケールファクタ情報のもとでスカラ量子化して量子化サンプルを出力する。すなわち、量子化部２３は、心理音響部２２で計算されたマスキング閾値と各帯域で発生する雑音との比率であるＮＭＲ（Ｎｏｉｓｅ−ｔｏ−Ｍａｓｋ  Ｒａｔｉｏ）を利用して全帯域のＮＭＲ値が０ｄＢ以下になるように量子化する。ＮＭＲ値が０ｄＢ以下ということは、量子化雑音が人間には聞こえないことを意味する。
【００２７】
ＦＧＳ符号化部２４は、各階層に属する量子化サンプルおよび付加情報を階層構造に符号化する。この付加情報は、各階層に相当するスケールバンド情報、コーディングバンド情報、そのスケールファクタ情報およびコーディングモデル情報を含んでいる。スケールバンド情報とコーディングバンド情報とは、ヘッダ情報としてパッキングされて復号化装置に伝送されたり、各階層の付加情報として符号化、パッキングされて復号化装置に伝送されたり、復号化装置にあらかじめ保存されていることによって伝送されないこともある。
【００２８】
さらに具体的に、ＦＧＳ符号化部２４は、最初の階層に対応するスケールファクタ情報およびコーディングモデル情報を含む付加情報を符号化する一方、最初の階層に対応する量子化サンプルを、対応コーディングモデル情報を参照してビット分割符号化する。ビット分割符号化とは、前述したＢＳＡＣ符号化で採用された符号化であって、量子化サンプルの最上位ビット、次の上位ビット、・・・、最下位ビットの順序で無損失符号化することを意味する。次に、第２の階層に対しても同じ過程を反復する。すなわち、あらかじめ決定された複数個の階層に対する符号化が完了するまで、階層を増加させながら符号化する。ここで、最初の階層を基底階層といい、残りの階層を上位階層という。階層構造についての詳細な説明は後記する。
【００２９】
スケールバンド情報とは、オーディオ信号の周波数特性に応じて適切に量子化を行うための情報であり、周波数領域を複数個のバンドに分けて各バンドに適したスケールファクタを割り当てた時に、各階層に対応するスケールバンドを知らせる情報をいう。これにより、各階層は少なくとも１つのスケールバンドに属するようになる。各スケールバンドは、割り当てられた１つのスケールファクタを有する。コーディングバンド情報とは、オーディオ信号の周波数特性によってさらに適切に符号化を行うための情報であり、周波数領域を複数個のバンドに分けて各バンドに適したコーディングモデルを割り当てた時に各階層に対応するコーディングバンドを知らせる情報をいう。スケールバンドとコーディングバンドとは、テストにより適切に分けられ、対応するスケールファクタとコーディングモデルとが決定される。
【００３０】
多重化器３は、符号化された量子化サンプルのうち、はじめに、基底階層に相当するデータを配置し、次に、帯域拡張情報を配置し、そして、残りの上位階層に相当するデータを配置する、もしくは、はじめに帯域拡張情報を配置し、次に、基底階層に相当するデータを配置し、そして、残りの上位階層に相当するデータを配置する順序で多重化する。
【００３１】
図４は、本発明による復号化装置のブロック図の例である。図４に示した復号化装置は、入力されたビットストリームを復号化して、デジタルデータを出力する装置であり、逆多重化器７、ＦＧＳ復号化器８およびＢＷＥ復号化器９を含む。
【００３２】
逆多重化器７は、入力されたビットストリームを逆多重化して、基底階層と少なくとも１つの上位階層とを有する階層構造に符号化された帯域制限データと帯域拡張情報とを抽出する。ここで、帯域制限データおよび帯域拡張情報は、図１に示した実施形態例と同様である。
ＦＧＳ復号化器８は、逆多重化器７により抽出された帯域制限データのうち少なくとも基底階層に相当する帯域制限データを復号化する。どの階層まで復号化するかは、ネットワーク状態、ユーザの選択などによって決定される。
ＢＷＥ復号化器９は、ＦＧＳ復号化器８により復号化されたデータのもとで逆多重化器７により抽出された帯域拡張情報を参照し、ＦＧＳ復号化器８により復号化されたデータがカバーしない少なくとも一部帯域のデジタルデータを生成してＦＧＳ復号化器８により復号化されたデータに付加する。このように、ＦＧＳ復号化器８により復号化されたデータが基底帯域に属するデータだけである場合でも、欠損された帯域のデータをＢＷＥ復号化器９により生成して付加することにより復号化されたデータの品質を高めることができる。
【００３３】
図５は、本発明の一実施例による復号化装置のブロック図である。図５に示した復号化装置は、入力されたオーディオビットストリームを復号化して、オーディオデータを出力する装置であり、逆多重化器７、ＦＧＳ復号化器８およびＢＷＥ復号化器９を含む。図５に示した復号化装置は、図４に示した復号化装置と比べて、オーディオデータを処理することを特定したことに違いがあるが、実質的に同じ機能を行うブロックには同じ参照番号を付して重複する説明は省略する。
【００３４】
図５に示した復号化装置の逆多重化器７は、入力されたオーディオビットストリームを逆多重化して、基底階層と少なくとも１つの上位階層とを有する階層構造に符号化された帯域制限オーディオデータと帯域拡張情報とを抽出する。
ＦＧＳ復号化器８は、逆多重化器７により抽出された帯域制限オーディオデータのうち、少なくとも基底階層に相当する帯域制限オーディオデータを復号化する。
ＢＷＥ復号化器９は、ＦＧＳ復号化器８により復号化されたオーディオデータのもとで逆多重化器７により抽出された帯域拡張情報を参照して、ＦＧＳ復号化器８により復号化されたオーディオデータがカバーしない少なくとも一部帯域のオーディオデータを生成して、ＦＧＳ復号化器８により復号化されたオーディオデータに付加する。
【００３５】
図６は、図５に示した復号化装置を具体化した例である。図６に示した復号化装置は、逆多重化器７、ＦＧＳ復号化器８およびＢＷＥ復号化器９を含む。ここで、図５に示した復号化装置と実質的に同じ機能を行うブロックには同じ参照番号を付与して重複する説明は省略する。
【００３６】
図６に示した復号化装置において、ＦＧＳ復号化器８は、ネットワーク状況、装置の性能、ユーザ選択などによって決定されたターゲット階層まで復号化することによってビット率を調節する装置であり、ＦＧＳ復号化部８１、逆量子化部８２および逆変還部８３を備える。
ＦＧＳ復号化部８１は、オーディオビットストリームをターゲット階層まで復号化する。さらに具体的には、各階層に対応するスケールファクタ情報、コーディングモデル情報が含まれた付加情報を復号化して得られたコーディングモデル情報のもとで、各階層に属する符号化された量子化サンプルを無損失復号化して量子化サンプルを得る。
【００３７】
一方、スケールバンド情報とコーディングバンド情報とは、ビットストリームのヘッダ情報から得ることや、各階層別に付加情報を復号化して得ることができる。もしくは、復号化装置が、スケールバンド情報およびコーディングバンド情報をあらかじめ保存しておく。
逆量子化部８２は各階層の量子化サンプルを対応するスケールファクタ情報によって逆量子化して復元する。
逆変還部８３は復元されたサンプルを周波数／時間マッピングし、時間領域のＰＣＭオーディオデータに変換して出力する。
【００３８】
ＢＷＥ復号化器９は、変換部９１、高周波生成部９２、調整部９３および合成部９４を備える。
変換部９１は、逆変還部８３から出力されたＰＣＭオーディオデータを周波数領域のデータに変換する。変換されたデータを低周波部分という。
高周波生成部９２は、ＢＷＥ情報を参照して変換部９１により変換された低周波部分を複製して付加する方式で変換部９１により変換されたデータがカバーできない部分、すなわち、高周波部分を作り出す。
調整部９３は、ＢＷＥ情報の１つであるエンベロープ情報を利用して高周波生成部９２の高周波部分のレベルを調整する。エンベロープ情報とは、符号化装置から送られた情報であり、符号化装置でＢＷＥ符号化時に切り取った高周波部分に相当するオーディオデータのエンベロープ情報を意味する。
合成部９４は、変換部９１から出力された低周波部分と調整部９３から出力された高周波部分とを合成してＰＣＭオーディオデータを出力する。
このように、たとえＦＧＳ復号化器８が基底帯域のオーディオデータだけを復号化したとしても、ＢＷＥ復号化器９が欠損された帯域のオーディオデータを復元して付加することによりオーディオデータの品質を高めることができる。
【００３９】
図７は、ＦＧＳ符号化器２から出力されたビットストリームの構造の例を示す。図７に示すように、ＦＧＳ符号化器２により符号化されたビットストリームのフレームは、ＦＧＳのために量子化サンプルと付加情報とを階層構造にマッピングさせて符号化されている。すなわち、下位階層のビットストリームが、上位階層のビットストリームに含まれている階層構造を有する。各階層に必要な付加情報は、階層別に分けられて符号化される。
【００４０】
さらに、ビットストリームの先頭にはヘッダ情報が保存されたヘッダ領域が作られ、階層０の情報がパッキングされており、上位階層である階層１ないし階層Ｎに属する情報が順番にパッキングされている。ヘッダ領域から階層０情報までを基底階層といい、ヘッダ領域から階層１情報までを階層１、階層１情報から階層２情報までを階層２という。同じように、最上位階層はヘッダ領域から階層Ｎ情報まで、すなわち、基底階層から上位階層の階層Ｎまでをいう。各階層情報としては付加情報と符号化されたデータとが保存されている。たとえば、階層２情報として付加情報２と符号化された量子化サンプル２とが保存されている。ここで、Ｎは１以上の整数である。
【００４１】
図８は、図７に示した付加情報の詳細構造を示す。図８に示すように、任意の階層情報としては、付加情報と符号化された量子化サンプルとが格納されており、本実施の形態で付加情報は、例えば、無損失符号化としてハフマン符号化を行った場合、ハフマンコーディングモデル情報、量子化ファクタ情報、チャンネルに対する付加情報、その他付加情報を含む。ハフマンコーディングモデル情報は、対応する階層に属する量子化サンプルの符号化または復号化に使われるハフマンコーディングモデルに対するインデックス情報をいう。量子化ファクタ情報は、対応する階層に属するオーディオデータを量子化したり逆量子化したりするための量子化ステップサイズを示す。チャンネルに対する付加情報とは、Ｍ／Ｓ  ｓｔｅｒｅｏのようなチャンネルに対する情報をいう。その他付加情報とは、Ｍ／Ｓ  ｓｔｅｒｅｏの採用如何に係るフラグ情報などをいう。
【００４２】
図９は、符号化装置の多重化器３から出力されたビットストリームの構造の例を示す。図９に示すように、ビットストリームの前にはＦＧＳ符号化器２により符号化された基底階層の階層０が先頭に配置され、次に、ＢＷＥ情報が配置され、そして、上位階層、すなわち、階層１、階層２、・・・、階層Ｎが順番に配置される。これにより、復号化装置では基底階層まで受信したり基底階層だけを復号化したりしても、ＢＷＥ情報を参照して復号化された基底階層のデータのもとで欠損された階層のデータを生成できるようになる。
【００４３】
図１０（ａ）ないし（ｄ）は、ＢＷＥ復号化器９で行われる帯域拡張復号化、すなわち、ＢＷＥ復号化をさらに詳細に説明するための参考図である。図１０において、ストライプで示した部分は、ＦＧＳ復号化器８により復号化されたデータを示し、灰色（微小ドット）で示した部分は、ＢＷＥ復号化器９により生成されたデータを示す。
サンプリング周波数Ｆｓの１／４までのデータが、基底階層に属するとするとき、図１０（ａ）は、復号化装置で基底帯域に相当するデータだけ復号化された場合を、図１０（ｂ）、図１０（ｃ）および図１０（ｄ）は、基底階層および少なくとも１つの上位階層に属するデータが、ＦＧＳ復号化器８により復号化された場合を示す。すなわち、ＦＧＳ復号化器８は、ビット率を調節可能にデータの復号化が可能であり、ＢＷＥ復号化器９はＦＧＳ復号化器８が復号化できない欠損帯域のデータを生成する。
【００４４】
次に、前記した符号化装置または復号化装置の構成を基に、本発明の実施の形態による符号化方法および復号化方法を説明する。
【００４５】
図１１は、本発明による符号化方法を説明するためのフローチャートである。図１１を参照して説明すると、符号化装置はデジタルデータを帯域拡張符号化して、帯域制限データを出力して帯域拡張情報を生成し（１１０１段階）、帯域制限データを、ビット率を調節可能に基底階層と少なくとも１つの上位階層とを有する階層構造に符号化する（１１０２段階）。ここで、符号化装置は、基底階層に相当する付加情報を符号化し、基底階層に相当する複数個の量子化サンプルをビット分割符号化し、あらかじめ決められた複数個の階層に対する符号化が完了するまで、次の上位階層の付加情報および量子化サンプルに対しても符号化する。次に、符号化された帯域制限データと帯域拡張情報とを多重化してビットストリームとして出力する（１１０３段階）。ここで、符号化装置は、符号化された帯域制限データのうち、はじめに、基底階層に相当するデータを配置し、次に、前記帯域拡張情報を配置し、そして、残りの上位階層に相当するデータを配置する順序で多重化するか、または、はじめに、帯域拡張情報を配置し、次に、基底階層に相当するデータを配置した後で、残りの上位階層に相当するデータを配置する順序で多重化する。
【００４６】
図１２は、本発明の一実施例による符号化方法を説明するためのフローチャートである。図１２を参照して説明すると、符号化装置はオーディオデータを帯域拡張符号化し、帯域制限オーディオデータを出力して基底階層に対する帯域拡張情報を生成する（１２０１段階）。ここで、基底階層に対する帯域拡張情報とは、復号化装置で基底階層に属するオーディオデータのもとで残りの欠損された帯域のオーディオデータを生成することができる情報であることをいう。
次に、符号化装置は、帯域制限データをビット率を調節可能に基底階層と少なくとも１つの上位階層とを有する階層構造に符号化する。さらに具体的に、各階層別に帯域制限オーディオデータを変換し（１２０２段階）、量子化し（１２０３段階）、無損失符号化した後でビット率を調節可能に階層構造にパッキングする（１２０４段階）。
最後に、符号化された帯域制限オーディオデータと帯域拡張情報とを多重化して得られたビットストリームを出力する（１２０５段階）。具体的には、符号化装置は、符号化された帯域制限オーディオデータのうち、はじめに、基底階層に相当するデータを配置し、次に、帯域拡張情報を配置し、そして、残りの上位階層に相当するデータを配置する順序で多重化するか、または、はじめに、帯域拡張情報を配置し、次に、基底階層に相当するデータを配置した後で、残りの上位階層に相当するデータを配置する順序で多重化する。
【００４７】
図１３は、本発明による復号化方法を説明するためのフローチャートである。図１３を参照して説明すると、復号化装置は、入力されたビットストリームを逆多重化して基底階層と少なくとも１つの上位階層とを有する階層構造に符号化された帯域制限データと帯域拡張情報とを抽出する（１３０１段階）。すなわち、入力されたビットストリームから第一に基底階層に相当するデータを抽出し、次に帯域拡張情報を抽出し、次に残りの上位階層に相当するデータを抽出する順序で逆多重化するか、第一に帯域拡張情報を抽出し、次に基底階層に相当するデータを抽出し、次に残りの上位階層に相当するデータを抽出する順序で逆多重化する。
次に、復号化装置は、少なくとも基底階層に相当する帯域制限データを復号化する（１３０２段階）。具体的には、基底階層に相当する付加情報を復号化し、基底階層に相当する複数個の量子化サンプルをビット分割復号化した後であらかじめ決定された複数個の階層に対する復号化が完了するまで、次の上位階層に対しても同じように復号化を行う。
最後に、復号化装置は、１３０２段階で復号化されたデータのもとで帯域拡張情報を参照し、１３０２段階で復号化されたデータがカバーしない少なくとも一部帯域のデジタルデータを生成して復号化されたデータに付加する（１３０３段階）。
【００４８】
図１４は、本発明の一実施例による復号化方法を説明するためのフローチャートである。図１４を参照して説明すると、復号化装置は、入力されたオーディオビットストリームを逆多重化して基底階層と少なくとも１つの上位階層とを有する階層構造に符号化された帯域制限オーディオデータと帯域拡張情報とを抽出する（１４０１段階）。すなわち、入力されたビットストリームから第一に基底階層に相当するデータを抽出し、次に帯域拡張情報を抽出し、次に残りの上位階層に相当するデータを抽出する順序で逆多重化するか、第一に帯域拡張情報を抽出し、次に基底階層に相当するデータを抽出し、次に残りの上位階層に相当するデータを抽出する順序で逆多重化する。次に、復号化装置は少なくとも基底階層に相当する帯域制限オーディオデータをビット率を調節可能に復号化する。
さらに具体的に、ターゲット階層まで無損失復号化した後（１４０２段階）、逆量子化して（１４０３段階）逆変換する（１４０４段階）。次に、１４０４段階で得られたオーディオデータのもとで帯域拡張情報を参照し、１４０４段階で得られたオーディオデータがカバーしない少なくとも一部帯域のオーディオデータを生成し、１４０４段階で得られたオーディオデータに付加して出力する（１４０５段階）。
【産業上の利用可能性】
【００４９】
本発明の帯域拡張技術を利用したデジタルデータの符号化方法、その装置、復号化方法およびその装置は、例えば、デジタルオーディオ記録／再生装置に効果的に適用可能である。
【図面の簡単な説明】
【００５０】
【図１】本発明による符号化装置のブロック図である。
【図２】本発明の一実施例による符号化装置のブロック図である。
【図３】図２に示した符号化装置を具体化したブロック図である。
【図４】本発明による復号化装置のブロック図である。
【図５】本発明の一実施例による復号化装置のブロック図である。
【図６】図５に示した復号化装置を具体化したブロック図である。
【図７】ＦＧＳ符号化器から出力されたビットストリームの構造を示す図である。
【図８】付加情報の詳細構造を示す図である。
【図９】多重化器から出力されたビットストリームの構造を示す図である。
【図１０】ＢＷＥ復号化を説明するための参考図である。
【図１１】本発明による符号化方法を説明するためのフローチャートである。
【図１２】本発明の一実施例による符号化方法を説明するためのフローチャートである。
【図１３】本発明による復号化方法を説明するためのフローチャートである。
【図１４】本発明の一実施例による復号化方法を説明するためのフローチャートである。
【符号の説明】
【００５１】
１      ＢＷＥ符号化器
２      ＦＧＳ符号化器
３      多重化器
７      逆多重化器
８      ＦＧＳ復号化器
９      ＢＷＥ復号化器
【図１】
2004272260.tif 000003
【図２】
2004272260.tif 000004
【図３】
2004272260.tif 000005
【図４】
2004272260.tif 000006
【図５】
2004272260.tif 000007
【図６】
2004272260.tif 000008
【図７】
2004272260.tif 000009
【図８】
2004272260.tif 000010
【図９】
2004272260.tif 000011
【図１０】
2004272260.tif 000012
【図１１】
2004272260.tif 000013
【図１２】
2004272260.tif 000014
【図１３】
2004272260.tif 000015
【図１４】
2004272260.tif 000016